(57)【要約】【課題】床仕上げ材における接着力を、コンクリートスラブ表面の強度のばらつきに左右されずに安定化することのできる床の施工方法および床構造体を提供する。【解決手段】重量物２の移動に対する耐動荷重性を有する床の施工方法であって、コンクリートスラブ３の表面に薄鋼板からなる下地材５を接着した後に、この下地材５の上面に耐動荷重性を有するシート状の床仕上げ材６を接着するようにする。【選択図】図１
2017122351.tif 000002
【特許請求の範囲】
【請求項１】
重量物の移動に対する耐動荷重性を有する床の施工方法であって、
コンクリートスラブの表面に薄鋼板からなる下地材を接着した後に、この下地材の上面に耐動荷重性を有するシート状の床仕上げ材を接着することを特徴とする床の施工方法。
【請求項２】
重量物の移動に対する耐動荷重性を有する床の施工方法であって、
薄鋼板からなる下地材と耐動荷重性を有するシート状の床仕上げ材とを予め接着して一体化しておき、これをコンクリートスラブの表面に接着することを特徴とする床の施工方法。
【請求項３】
弾性接着剤を用いて接着することを特徴とする請求項１または２に記載の床の施工方法。
【請求項４】
手術室の床を施工することを特徴とする請求項１〜３のいずれか一つに記載の床の施工方法。
【請求項５】
重量物の移動に対する耐動荷重性を有する床構造体であって、
コンクリートスラブの表面に接着して設けられる薄鋼板からなる下地材と、
この下地材の上面に接着して設けられる耐動荷重性を有するシート状の床仕上げ材とを備えることを特徴とする床構造体。
【発明の詳細な説明】
【技術分野】
【０００１】
本発明は、床の施工方法および床構造体に関し、特に高い耐荷重性が求められる手術室などの床の施工方法および床構造体に関するものである。
【背景技術】
【０００２】
従来、手術台などの重量のある医療機器が設置される手術室の床仕上げ材として、重量物の走行移動に対する耐久性を持つ耐動荷重シートが使用されている。図３に示すように、この耐動荷重シート１は通常、手術台２が置かれる床のコンクリートスラブ３表面に直接、接着剤等で張り付けて施工される（例えば、特許文献１〜５を参照）。シートを張り付ける直前に、コンクリート表面の不陸を無くすためにモルタル補修処理を実施することがあるが、このとき、表面の凹部などに補充したモルタルにより、コンクリートスラブ表面の強度にばらつきが生じ、耐動荷重シートの接着強度自体にもばらつきが生じることがあった。
【０００３】
この床面上を手術台のような重量物が移動すると、接触する床面には大きな荷重が加わることになる。この際、耐動荷重シートの接着強度のばらつきに起因して、手術台周辺の耐動荷重シートが施工後短期間（例えば１〜２年程度）で剥がれる事例が多々発生していた。
【先行技術文献】
【特許文献】
【０００４】
【特許文献１】特開２００６−９７２３５号公報
【特許文献２】特開２００９−２１４４号公報
【特許文献３】特開２００９−９７２４８号公報
【特許文献４】特開２００９−２０３７９０号公報
【特許文献５】特開２０１０−１９０１１号公報
【発明の概要】
【発明が解決しようとする課題】
【０００５】
耐動荷重シートのような床仕上げ材の剥離を防止するため、特に荷重がかかる手術台周辺の床仕上げ材における接着力を、コンクリートスラブ表面の強度のばらつきに左右されずに安定化することのできる技術が求められていた。
【０００６】
本発明は、上記に鑑みてなされたものであって、床仕上げ材における接着力を、コンクリートスラブ表面の強度のばらつきに左右されずに安定化することのできる床の施工方法および床構造体を提供することを目的とする。
【課題を解決するための手段】
【０００７】
上記した課題を解決し、目的を達成するために、本発明に係る床の施工方法は、重量物の移動に対する耐動荷重性を有する床の施工方法であって、コンクリートスラブの表面に薄鋼板からなる下地材を接着した後に、この下地材の上面に耐動荷重性を有するシート状の床仕上げ材を接着することを特徴とする。
【０００８】
また、本発明に係る他の床の施工方法は、重量物の移動に対する耐動荷重性を有する床の施工方法であって、薄鋼板からなる下地材と耐動荷重性を有するシート状の床仕上げ材とを予め接着して一体化しておき、これをコンクリートスラブの表面に接着することを特徴とする。
【０００９】
また、本発明に係る他の床の施工方法は、上述した発明において、弾性接着剤を用いて接着することを特徴とする。
【００１０】
また、本発明に係る他の床の施工方法は、上述した発明において、手術室の床を施工することを特徴とする。
【００１１】
また、本発明に係る床構造体は、重量物の移動に対する耐動荷重性を有する床構造体であって、コンクリートスラブの表面に接着して設けられる薄鋼板からなる下地材と、この下地材の上面に接着して設けられる耐動荷重性を有するシート状の床仕上げ材とを備えることを特徴とする。
【発明の効果】
【００１２】
本発明に係る床の施工方法によれば、重量物の移動に対する耐動荷重性を有する床の施工方法であって、コンクリートスラブの表面に薄鋼板からなる下地材を接着した後に、この下地材の上面に耐動荷重性を有するシート状の床仕上げ材を接着するので、床仕上げ材は薄鋼板からなる下地材を介してコンクリートスラブの表面に張り付け施工される。これにより、床仕上げ材における接着力を、コンクリートスラブの表面の強度のばらつきに左右されずに安定化することができる。したがって、床仕上げ材の接着強度のばらつきによる床仕上げ材の剥離を防止することができるという効果を奏する。
【００１３】
また、本発明に係る他の床の施工方法によれば、重量物の移動に対する耐動荷重性を有する床の施工方法であって、薄鋼板からなる下地材と耐動荷重性を有するシート状の床仕上げ材とを予め接着して一体化しておき、これをコンクリートスラブの表面に接着するので、床仕上げ材は薄鋼板からなる下地材を介してコンクリートスラブの表面に張り付け施工される。これにより、床仕上げ材における接着力を、コンクリートスラブの表面の強度のばらつきに左右されずに安定化することができる。したがって、床仕上げ材の接着強度のばらつきによる床仕上げ材の剥離を防止することができるという効果を奏する。
【００１４】
また、本発明に係る他の床の施工方法によれば、弾性接着剤を用いて接着するので、重量物の荷重などにより床仕上げ材に生じる応力を緩和することができるという効果を奏する。
【００１５】
また、本発明に係る他の床の施工方法によれば、手術室の床を施工するので、手術室の床に設置される床仕上げ材の剥離を防止することができるという効果を奏する。
【００１６】
また、本発明に係る床構造体によれば、重量物の移動に対する耐動荷重性を有する床構造体であって、コンクリートスラブの表面に接着して設けられる薄鋼板からなる下地材と、この下地材の上面に接着して設けられる耐動荷重性を有するシート状の床仕上げ材とを備えるので、床仕上げ材は薄鋼板からなる下地材を介してコンクリートスラブの表面に張り付け施工される。これにより、床仕上げ材における接着力を、コンクリートスラブの表面の強度のばらつきに左右されずに安定化することができる。したがって、床仕上げ材の接着強度のばらつきによる床仕上げ材の剥離を防止することができるという効果を奏する。
【図面の簡単な説明】
【００１７】
【図１】図１は、本発明に係る床の施工方法の実施の形態を示す側断面図である。
【図２】図２は、本発明に係る床の施工方法および床構造体の実施の形態を示す部分分解拡大図である。
【図３】図３は、従来の床の施工方法の一例を示す側断面図である。
【発明を実施するための形態】
【００１８】
以下に、本発明に係る床の施工方法および床構造体の実施の形態について手術室の床に適用する場合を例にとり、図面に基づいて詳細に説明する。なお、この実施の形態によりこの発明が限定されるものではない。
【００１９】
図１に示すように、手術室４の床の施工後に手術台２のような重量物が設置されるものとする。本実施の形態に係る床の施工方法は、手術台２の走行移動に対する耐動荷重性を有する床の施工方法である。
【００２０】
図２に示すように、この方法ではまず、既設のコンクリートスラブ３の表面に下地材としての薄鋼板５を接着する。その後、接着が完了したら、この薄鋼板５の上面に床仕上げ材としての耐動荷重シート６を接着する。こうすることで、本実施の形態に係る床構造体が得られる。
【００２１】
ここで、耐動荷重シート６の被着体となる薄鋼板５の表面強度は一般に製品として平面的に安定しているため、耐動荷重シート６の接着強度を平面的に均一化することが可能となる。また、重量物である手術台２等の重量のある医療機器の下に薄鋼板５を設置することにより、手術台２の荷重は薄鋼板５に平面的に分散するようになる。これにより、コンクリートスラブ３の表面の強度のばらつきを考慮する必要はなくなる。
【００２２】
このように、本実施の形態によれば、耐動荷重シート６における接着力を、コンクリートスラブ３の表面の強度のばらつきに左右されずに安定化することができる。したがって、耐動荷重シート６の接着強度のばらつきによる耐動荷重シート６の剥離を防止することが可能となる。
【００２３】
ここで、鋼板５の端部５ａには、耐動荷重シート６に目立った段差ができないように断面視で鋭角にカットするなどの形状処理を行うことが望ましい。
【００２４】
薄鋼板５としては、例えば亜鉛メッキ鋼板などの一般的な薄鋼板を用いることができる。鋼板の板厚は、施工性を考慮して、例えば板厚ｔ＝１．２〜１．６ｍｍ程度のものを用いることが好ましい。
【００２５】
耐動荷重シート６は、重量物の荷重や動荷重に対して十分な抵抗力（耐動荷重性）を有するシート状の床仕上げ材である。耐動荷重シート６としては、例えば、移動荷重用フロア（田島ルーフィング株式会社製）、ロンリウムＳＲＧ（ロンシール工業株式会社製）、メディントーンおよびアンビアス（株式会社ＡＢＣ商会製）などの製品を使用することができる。
【００２６】
薄鋼板５をコンクリートスラブ３に接着する接着剤としては、優れた接着力と変形追従性を備えたシリコン系、ウレタン系などの弾性接着剤を用いることが好ましい。こうした接着剤としては、例えばＰＭ２１０（セメダイン株式会社製）などの弾性マスチック接着剤がある。こうした接着剤を用いれば、手術台２の荷重などにより床材内部に生じる応力を緩和することができる。
【００２７】
耐動荷重シート６を薄鋼板５に接着する接着剤としては、従来一般的に使用されているエポキシ系の接着剤を使用することができ、例えばセメントＥＰ３０（田島ルーフィング株式会社製）などを用いることができる。
【００２８】
なお、従来の床の施工方法では、床仕上げ材として、例えば移動荷重用フロア（田島ルーフィング株式会社製）、床仕上げ材を接着する接着剤として、セメントＥＰ３０（田島ルーフィング株式会社製）のようなエポキシ系接着剤、プライマーとして、荷重床プライマー（田島ルーフィング株式会社製）を使用していた。これに対し、本実施の形態の床の施工方法では、床仕上げ材とこれを接着する接着剤は上記の従来の場合と同様のものを使用し、下地材として例えば亜鉛メッキ鋼板（板厚ｔ＝１．６ｍｍ）を用い、薄鋼板を接着する接着剤として例えばＰＭ２１０（セメダイン株式会社製）を用いることができる。従来要していたプライマーは不要である。
【００２９】
上記の実施の形態において、手術室の床に適用する場合を例にとり説明したが、本発明はこれに限るものではなく、例えば、薬品工場、食品工場等の研究施設、無人搬送車使用工場、精密機械組立工場などの床に対しても適用することが可能であり、この場合も上記と同様の作用効果を奏することができる。
【００３０】
また、上記の実施の形態においては、既設のコンクリートスラブ３の表面に薄鋼板５を接着した後、この薄鋼板５の上面に耐動荷重シート６を接着する方法について説明したが、本発明はこれに限るものではない。例えば薄鋼板５と耐動荷重シート６とを予め接着して一体化しておき、これをコンクリートスラブ３の表面に接着することで本発明の床構造体を施工してもよい。この方法によれば、薄鋼板５と耐動荷重シート６を一体化する作業は工場や現場近くの作業エリアなどで実施可能であることから、施工現場で実施する工程を減らすことができる。
【００３１】
以上説明したように、本発明に係る床の施工方法によれば、重量物の移動に対する耐動荷重性を有する床の施工方法であって、コンクリートスラブの表面に薄鋼板からなる下地材を接着した後に、この下地材の上面に耐動荷重性を有するシート状の床仕上げ材を接着するので、床仕上げ材は薄鋼板からなる下地材を介してコンクリートスラブの表面に張り付け施工される。これにより、床仕上げ材における接着力を、コンクリートスラブの表面の強度のばらつきに左右されずに安定化することができる。したがって、床仕上げ材の接着強度のばらつきによる床仕上げ材の剥離を防止することができる。
【００３２】
また、本発明に係る他の床の施工方法によれば、重量物の移動に対する耐動荷重性を有する床の施工方法であって、薄鋼板からなる下地材と耐動荷重性を有するシート状の床仕上げ材とを予め接着して一体化しておき、これをコンクリートスラブの表面に接着するので、床仕上げ材は薄鋼板からなる下地材を介してコンクリートスラブの表面に張り付け施工される。これにより、床仕上げ材における接着力を、コンクリートスラブの表面の強度のばらつきに左右されずに安定化することができる。したがって、床仕上げ材の接着強度のばらつきによる床仕上げ材の剥離を防止することができる。
【００３３】
また、本発明に係る他の床の施工方法によれば、弾性接着剤を用いて接着するので、重量物の荷重などにより床仕上げ材に生じる応力を緩和することができる。
【００３４】
また、本発明に係る他の床の施工方法によれば、手術室の床を施工するので、手術室の床に設置される床仕上げ材の剥離を防止することができる。
【００３５】
また、本発明に係る床構造体によれば、重量物の移動に対する耐動荷重性を有する床構造体であって、コンクリートスラブの表面に接着して設けられる薄鋼板からなる下地材と、この下地材の上面に接着して設けられる耐動荷重性を有するシート状の床仕上げ材とを備えるので、床仕上げ材は薄鋼板からなる下地材を介してコンクリートスラブの表面に張り付け施工される。これにより、床仕上げ材における接着力を、コンクリートスラブの表面の強度のばらつきに左右されずに安定化することができる。したがって、床仕上げ材の接着強度のばらつきによる床仕上げ材の剥離を防止することができる。
【産業上の利用可能性】
【００３６】
以上のように、本発明に係る床の施工方法および床構造体は、高い耐荷重性が求められる手術室などの床に有用であり、特に、床仕上げ材における接着力を、コンクリートスラブ表面の強度のばらつきに左右されずに安定化するのに適している。
【符号の説明】
【００３７】
１  耐動荷重シート
２  手術台（重量物）
３  コンクリートスラブ
４  手術室
５  薄鋼板（下地材）
５ａ  端部
６  耐動荷重シート（床仕上げ材）
【図１】
2017122351.tif 000003
【図２】
2017122351.tif 000004
【図３】
2017122351.tif 000005